(57)【要約】【課題】再生エネルギーに基づく電力の発電設備を有している施設の利用料金を、将来、施設が電力会社から供給される電力量に応じて定めることができる料金設定システムを提供する。【解決手段】料金設定システムは、再生可能エネルギーに基づく電力の発電設備を有する施設の利用料金を設定する。電力使用状況推定手段７１は、将来の所定の日の施設の予約状況に基づいて、所定の日の施設での電力使用状況を推定する。発電状況推定手段７２は、所定の日の気象状態を示す気象予測データに基づいて、所定の日の発電設備による発電状況を推定する。料金設定手段７３は、所定の日の施設での電力使用状況と、所定の日の発電設備による発電状況とに基づいて、所定の日の施設の利用料金を設定する。【選択図】図７
2017131028.tif 000002
【特許請求の範囲】
【請求項１】
再生可能エネルギーに基づく電力の発電設備を有する施設の利用料金を設定する料金設定システムであって、
将来の所定の日の前記施設の予約状況に基づいて、前記所定の日の前記施設での電力使用状況を推定する電力使用状況推定手段と、
前記所定の日の気象状態を示す気象予測データに基づいて、前記所定の日の前記発電設備による発電状況を推定する発電状況推定手段と、
前記所定の日の前記施設での電力使用状況と、前記所定の日の前記発電設備による発電状況とに基づいて、前記所定の日の前記施設の利用料金を設定する料金設定手段とを備える
ことを特徴とする料金設定システム。
【請求項２】
料金設定手段は、
所定の日の施設での電力使用状況と、前記所定の日の発電設備による発電状況とに基づいて、前記所定の日に前記施設が電力会社から供給される電力量を推定し、前記電力量に応じて、前記所定の日の前記施設の利用料金を設定する
請求項１に記載の料金設定システム。
【請求項３】
料金設定手段は、
発電設備が発電する電力が、施設で使用される電力よりも大きい時間帯では、前記発電設備が発電する電力のうち前記施設で使用される電力を上回っている分の電力が、前記施設が有するエネルギー貯蔵手段に貯えられ、前記発電設備が発電する電力が、前記施設で使用される電力よりも小さい時間帯では、前記エネルギー貯蔵手段に貯えられた電力が電力会社から供給される電力よりも先に使用されるものとして、所定の日に前記施設が電力会社から供給される電力量を推定する
請求項１または請求項２に記載の料金設定システム。
【請求項４】
料金設定手段は、
気象予測データが示す所定の日の気象状態が予め定められた条件を満たす場合、所定の時間帯に電力会社から供給される電力が、施設が有するエネルギー貯蔵手段に貯えられ、前記所定の時間帯の終了後、発電設備が発電する電力が、施設で使用される電力よりも小さい時間帯で、前記エネルギー貯蔵手段に貯えられた電力が電力会社から供給される電力よりも先に使用されるものとして、前記所定の日に前記施設が電力会社から供給される電力量を推定する
請求項１から請求項３のうちのいずれか１項に記載の料金設定システム。
【請求項５】
料金設定手段は、
所定の日の開始時にエネルギー貯蔵手段に貯えられている電力量を推定し、当該電力量に応じて、前記所定の日に前記施設が電力会社から供給される電力量を推定する
請求項３または請求項４に記載の料金設定システム。
【請求項６】
電力使用状況推定手段は、所定の日の施設の予約状況と気象状態とに基づいて、前記所定の日の前記施設での電力使用状況を推定する
請求項１から請求項５のうちのいずれか１項に記載の料金設定システム。
【請求項７】
再生可能エネルギーに基づく電力の発電設備を有する施設の利用料金を設定する料金設定方法であって、
将来の所定の日の前記施設の予約状況に基づいて、前記所定の日の前記施設での電力使用状況を推定し、
前記所定の日の気象状態を示す気象予測データに基づいて、前記所定の日の前記発電設備による発電状況を推定し、
前記所定の日の前記施設での電力使用状況と、前記所定の日の前記発電設備による発電状況とに基づいて、前記所定の日の前記施設の利用料金を設定する
ことを特徴とする料金設定方法。
【請求項８】
再生可能エネルギーに基づく電力の発電設備を有する施設の利用料金をコンピュータに設定させるための料金設定プログラムであって、
前記コンピュータに、
将来の所定の日の前記施設の予約状況に基づいて、前記所定の日の前記施設での電力使用状況を推定する電力使用状況推定処理、
前記所定の日の気象状態を示す気象予測データに基づいて、前記所定の日の前記発電設備による発電状況を推定する発電状況推定処理、および、
前記所定の日の前記施設での電力使用状況と、前記所定の日の前記発電設備による発電状況とに基づいて、前記所定の日の前記施設の利用料金を設定する料金設定処理
を実行させるための料金設定プログラム。
【発明の詳細な説明】
【技術分野】
【０００１】
本発明は、再生可能エネルギーに基づく電力の発電設備を有する施設の利用料金を設定する料金設定システム、料金設定方法および料金設定プログラムに関する。
【背景技術】
【０００２】
施設の利用料金を設定するシステムの一例が特許文献１に記載されている。特許文献１に記載のシステムは、過去の宿泊状況および現在の予約状況を取得し、取得された予約状況と過去の宿泊状況とに基づいて宿泊料金を予測し、宿泊料金を設定する。また、特許文献１には、季節的要因を予測計算に加味することが記載されている。
【０００３】
また、特許文献２には、気象予測情報を取得する等して、将来の特定の期間（例えば、翌日）についての太陽光発電装置の発電量を予測するホームコントローラが記載されている。また、特許文献２に記載のホームコントローラは、過去の実績値等に基づいて、各家電の、その特定の期間での消費電力量を予測する。
【０００４】
また、特許文献３には、将来の日付と同じ過去の日付で記憶している気象情報に対応する発電量を参照することにより、過去の日付と同じ将来の日付の所定期間内における発電量（自然エネルギーからの発電量）を予測するシステムが記載されている。
【０００５】
また、特許文献４には、インバータから出力される太陽光発電電力、買電および買電の電力をそれぞれ検出し、デジタル値に変換する機能を有するシステムが記載されている。
【先行技術文献】
【特許文献】
【０００６】
【特許文献１】特開２００１−２２２５８２号公報
【特許文献２】国際公開第２０１２／１０５６４２号
【特許文献３】特開２００８−４３１４７号公報
【特許文献４】特開平１０−２０１１０６号公報
【発明の概要】
【発明が解決しようとする課題】
【０００７】
サービスを提供する施設が、再生エネルギーに基づく電力の発電設備を有している場合が考えられる。この場合、施設は、そのような発電設備を有していることにより、電力会社から供給される電力量を削減することができる。
【０００８】
再生エネルギーに基づく電力の発電設備を有している施設の利用料金は、将来において施設が電力会社から供給される電力量に応じて定められることが好ましい。
【０００９】
特許文献１に記載のシステムは、現在の予約状況と過去の宿泊状況とに基づいて宿泊料金を設定する。しかし、特許文献１に記載のシステムでは、将来、施設が電力会社から供給される電力量を宿泊料金の設定に用いていない。
【００１０】
そこで、本発明は、再生エネルギーに基づく電力の発電設備を有している施設の利用料金を、将来、施設が電力会社から供給される電力量に応じて定めることができる料金設定システム、料金設定方法および料金設定プログラムを提供することを目的とする。
【課題を解決するための手段】
【００１１】
本発明による料金設定システムは、再生可能エネルギーに基づく電力の発電設備を有する施設の利用料金を設定する料金設定システムであって、将来の所定の日の施設の予約状況に基づいて、所定の日の施設での電力使用状況を推定する電力使用状況推定手段と、所定の日の気象状態を示す気象予測データに基づいて、所定の日の発電設備による発電状況を推定する発電状況推定手段と、所定の日の施設での電力使用状況と、所定の日の発電設備による発電状況とに基づいて、所定の日の施設の利用料金を設定する料金設定手段とを備えることを特徴とする。
【００１２】
また、本発明による料金設定方法は、再生可能エネルギーに基づく電力の発電設備を有する施設の利用料金を設定する料金設定方法であって、将来の所定の日の施設の予約状況に基づいて、所定の日の施設での電力使用状況を推定し、所定の日の気象状態を示す気象予測データに基づいて、所定の日の発電設備による発電状況を推定し、所定の日の施設での電力使用状況と、所定の日の発電設備による発電状況とに基づいて、所定の日の施設の利用料金を設定することを特徴とする。
【００１３】
また、本発明による料金設定プログラムは、再生可能エネルギーに基づく電力の発電設備を有する施設の利用料金をコンピュータに設定させるための料金設定プログラムであって、コンピュータに、将来の所定の日の施設の予約状況に基づいて、所定の日の施設での電力使用状況を推定する電力使用状況推定処理、所定の日の気象状態を示す気象予測データに基づいて、所定の日の発電設備による発電状況を推定する発電状況推定処理、および、所定の日の施設での電力使用状況と、所定の日の発電設備による発電状況とに基づいて、所定の日の施設の利用料金を設定する料金設定処理を実行させることを特徴とする。
【発明の効果】
【００１４】
本発明によれば、再生エネルギーに基づく電力の発電設備を有している施設の利用料金を、将来、施設が電力会社から供給される電力量に応じて定めることができる。
【図面の簡単な説明】
【００１５】
【図１】宿泊施設が備える、電力に関連する設備や機器の例を示す模式図である。
【図２】本発明の料金設定システムの例を示すブロック図である。
【図３】本発明の処理経過の例を示すフローチャートである。
【図４】料金設定対象日に宿泊施設で使用される電力の推移、および料金設定対象日に太陽光発電設備が発電する電力の推移の一例を示す模式図である。
【図５】料金設定対象日に宿泊施設で使用される電力の推移、および料金設定対象日に太陽光発電設備が発電する電力の推移の他の例を示す模式図である。
【図６】料金設定対象日の前日に宿泊施設で使用される電力の推移、および料金設定対象日の前日に太陽光発電設備１が発電する電力の推移の一例であって、蓄電池に充電される電力量の一部しか使用されない状況の例を示す模式図である。
【図７】本発明の料金設定システムの概要を示すブロック図である。
【発明を実施するための形態】
【００１６】
以下、本発明の実施形態を図面を参照して説明する。
【００１７】
本発明の料金設定システムは、サービスを提供する施設の将来の利用料金を設定する。また、この施設は、再生可能エネルギーに基づく電力の発電設備と、電力を蓄えるエネルギー貯蔵手段とを有する。以下の説明では、施設が、リゾートホテル等の宿泊施設であり、本発明の料金設定システムが宿泊料金を設定する場合を例にして説明する。ただし、施設は、宿泊施設に限定されない。
【００１８】
図１は、宿泊施設が備える、電力に関連する設備や機器の例を示す模式図である。宿泊施設は、例えば、太陽光発電設備１と、蓄電池２と、負荷（Electrical Load）３ａ，３ｂと、サーバ４と、メータ１１，１２，１３ａ，１３ｂ，１５とを備える。
【００１９】
太陽光発電設備１は、太陽光によって発電を行う。太陽光発電設備１は、再生可能エネルギーに基づく電力の発電設備の一例である。宿泊施設は、再生可能エネルギーに基づく電力の発電設備として、例えば、太陽光発電設備１以外の発電設備（例えば、風力発電設備）を備えていてもよい。また、宿泊施設は、再生可能エネルギーに基づく電力の発電設備として、複数種類の発電設備（例えば、太陽光発電設備１および風力発電設備）を備えていてもよい。本実施形態では、宿泊施設が、再生可能エネルギーに基づく電力の発電設備として、太陽光発電設備１を備える場合を例にして説明する。
【００２０】
蓄電池２は、エネルギー貯蔵手段の一例である。本実施形態では、宿泊施設が、エネルギー貯蔵手段として、蓄電池２を備える場合を例にして説明する。なお、エネルギー貯蔵手段の他の態様として、例えば、フライホイールを利用したエネルギー貯蔵手段、あるいは、揚水発電設備等が挙げられる。宿泊施設は、蓄電池２の代わりに、これらのエネルギー貯蔵手段を備えていてもよい。
【００２１】
負荷３ａ，３ｂは、電力を消費する装置である。例えば、宿泊施設が備える種々の電気製品が負荷３ａ，３ｂに該当する。図１では、２つの負荷３ａ，３ｂを示したが、負荷の数は、特に限定されない。
【００２２】
メータ１１は、太陽光発電設備１が発電した電力を計測する。
【００２３】
メータ１２は、蓄電池２に充電された電力、および蓄電池２が放電した電力を計測する。
【００２４】
メータ１３ａは、負荷３ａが消費した電力を計測し、メータ１３ｂは、負荷３ｂが消費した電力を計測する。図１では、２つのメータ１３ａ，１３ｂを示したが、負荷が消費した電力を計測するメータの数は、特に限定されない。
【００２５】
メータ１５は、電力会社から供給される電力を計測する。
【００２６】
各メータ１１，１２，１３ａ，１３ｂ，１５は、各負荷３ａ，３ｂで消費される電力と、電力会社から供給される電力、太陽光発電設備１が供給する電力、および蓄電池２が供給する電力とのバランスをとるために用いられる。
【００２７】
また、太陽光発電設備１に対応するメータ１１の代わりに、直流を交流に変換するＰＣＳ（Power Conditioning System ）であって、ＣＴ（Current Transformer）センサを備えたＰＣＳが設けられていてもよい。この場合、ＰＣＳは、ＣＴセンサで検出された電流値に基づいて、太陽光発電設備１が発電した電力を検知してもよい。
【００２８】
同様に、蓄電池２に対応するメータ１２の代わりに、直流を交流に変換するＰＣＳであって、ＣＴセンサを備えたＰＣＳが設けられていてもよい。この場合、ＰＣＳは、ＣＴセンサで検出された電流値に基づいて、蓄電池２に充電された電力、および蓄電池２が放電した電力を検知してもよい。
【００２９】
蓄電池２は、太陽光発電設備１が発電する電力が、宿泊施設で使用される電力（各負荷３ａ，３ｂで消費される電力）よりも大きい時間帯では、太陽光発電設備１が発電する電力のうち、宿泊施設で使用される電力を上回っている分の電力を貯える。そして、太陽光発電設備１が発電する電力が、宿泊施設で使用される電力よりも小さい時間帯では、各負荷３ａ，３ｂは、蓄電池２に充電されている電力を先に使用し、蓄電池２の充電量が０になった後に電力会社から供給される電力を使用する。すなわち、蓄電池２に充電されている電力は、電力会社から供給される電力よりも先に使用され、蓄電池２に充電されている電力が使用されている間は、電力会社から供給される電力は使用されない。
【００３０】
また、気象状態が所定の条件（太陽光発電設備１が十分に発電できなくなる条件。例えば、雨であるという条件。）を満たしている場合、所定の時間帯に、蓄電池２は、電力会社が供給する電力を貯える。この所定の時間帯は、例えば、電力会社の電気料金が日中の電気料金よりも低く設定されている深夜の時間帯である。そして、その所定の時間帯の終了後、太陽光発電設備１が発電する電力が、宿泊施設で使用される電力よりも小さい時間帯で、各負荷３ａ，３ｂは、蓄電池２に充電されている電力を先に使用し、蓄電池２の充電量が０になった後に電力会社から供給される電力を使用する。すなわち、蓄電池２に充電されている電力は、電力会社から供給される電力よりも先に使用され、蓄電池２に充電されている電力が使用されている間は、電力会社から供給される電力は使用されない。この場合、蓄電池２は、電力会社が供給する電力を貯えるが、電気料金が低く設定されている時間帯に電力を貯えるので、宿泊施設が電力会社に支払うべき電気料金を抑えることができる。なお、気象予測データから推定される太陽光発電設備１で発電される電力量が所定の閾値を超えない場合に、上記の所定の時間帯に、蓄電池２は、電力会社が供給する電力を貯えてもよい。
【００３１】
サーバ４は、例えば、単位時間（例えば、１時間、あるいは、５分等でもよい。）毎の、宿泊施設で使用された電力の情報、および、太陽光発電設備１が発電した電力の情報を記憶する。また、サーバ４は、これらの情報を、対応する日の宿泊施設の利用者の情報およびその日の気象状態の情報に対応付けて記憶する。宿泊施設で使用された電力は、宿泊施設が備える各負荷３ａ，３ｂが消費した電力の和である。サーバ４は、例えば、単位時間毎に、各負荷３ａ，３ｂが消費した電力の情報をメータ１３ａ，１３ｂから受信し、各負荷３ａ，３ｂが消費した電力の和を計算することによって、宿泊施設で使用された電力の情報を導出すればよい。また、サーバ４は、例えば、単位時間毎に、太陽光発電設備１が発電した電力をメータ１１から受信すればよい。サーバ４が、単位時間毎の、宿泊施設で使用された電力の情報、および、太陽光発電設備１が発電した電力の情報を取得する態様は、上記の例に限定されない。
【００３２】
また、これらの情報に対応付けられる利用者の情報の例として、例えば、宿泊者の人数が挙げられる。さらに、宿泊者を、年齢や性別等の属性で分類し、分類された属性毎の人数も、利用者の情報として用いてもよい。また、サーバ４は、宿泊施設で使用された電力の情報、および、太陽光発電設備１が発電した電力の情報に対応付けて、利用者の情報および気象状態の情報の他に、季節の情報（春夏秋服の何れであるか）等も記憶してもよい。利用者の情報、気象状態の情報、季節の情報は、例えば、サーバ４の管理者がサーバ４に入力すればよい。
【００３３】
サーバ４が記憶する情報は、過去の履歴情報として用いることができる。
【００３４】
また、サーバ４が記憶する宿泊施設で使用された電力の情報および利用者の情報に基づいて、例えば、宿泊者の人数を説明変数として、宿泊施設で使用される電力を推定するための推定式を機械学習によって導出することができる。このとき、説明変数として、属性毎の人数、気象状態、季節等も用いてもよい。この推定式は、例えば、１時、２時、・・・等の時刻毎に導出してもよい。
【００３５】
同様に、サーバ４が記憶する太陽光発電設備１が発電した電力の情報と気象状態の情報に基づいて、例えば、気象状態を説明変数として、太陽光発電設備１が発電する電力を推定するための推定式を機械学習によって導出することができる。このとき、説明変数として、季節等も用いてもよい。この予測式も、例えば、１時、２時、・・・等の時刻毎に導出してもよい。
【００３６】
以下の説明では、上記のように、所定の時刻毎に、宿泊施設で使用される電力を推定するための推定式、および太陽光発電設備１が発電する電力を推定するための推定式を、機械学習によって導出しているものとして説明する。これらの推定式が導出されていることによって、将来の利用者に関する情報から、将来のある日における各時刻での、宿泊施設で使用される電力を推定することができる。同様に、その日についての気象状態の予測データから、その日における各時刻での、太陽光発電設備１が発電する電力を推定することができる。
【００３７】
また、説明を簡単にするために、宿泊施設で使用される電力を推定するための推定式では、宿泊人数が説明変数として用いられているものとする。ただし、上記のようにその他の説明変数も合わせて用いられていてもよい。同様に、説明を簡単にするために、太陽光発電設備１が発電する電力を推定するための推定式では、気象状態が説明変数として用いられているものとする。ただし、上記のようにその他の変数も合わせて用いられていてもよい。
【００３８】
図２は、本発明の料金設定システムの例を示すブロック図である。本発明の料金設定システム２０は、情報記憶手段２１と、予約情報取得手段２２と、気象予測データ取得手段２３と、電力使用状況推定手段２４と、発電状況推定手段２５と、利用料金設定手段２６とを備える。
【００３９】
情報記憶手段２１は、日毎に、宿泊予約者の人数および気象予測データを記憶する記憶装置である。
【００４０】
予約情報取得手段２２は、宿泊人数および宿泊日の情報を含む予約情報を取得する。本実施形態では、予約情報取得手段２２は、宿泊施設の利用を予約する予約者の端末（図示略）から、宿泊人数および宿泊日の情報を含む予約情報を受信する。そして、予約情報取得手段２２は、情報記憶手段２１がその宿泊日に対応付けて記憶している宿泊予約者の人数に、その宿泊人数を加算することによって、その宿泊日の宿泊予約者の人数を更新する。なお、本実施形態では、予約情報取得手段２２が予約者の端末から予約情報を受信する場合を例に説明するが、予約情報取得手段２２が予約情報を取得する態様は特に限定されない。
【００４１】
また、予約情報に含まれる宿泊日は、料金設定対象となる将来の日である。以下、この日を料金設定対象日と記す。
【００４２】
気象予測データ取得手段２３は、予約情報取得手段２２が予約情報を取得すると、その予約情報に含まれる料金設定対象日（宿泊日）の気象予測データを取得し、料金設定対象日に対応付けて、情報記憶手段２１に記憶させる。気象予測データは、予測された気象状態を示すデータである。気象予測データ取得手段２３は、例えば、気象予測データを提供する気象予測データ提供サーバ（図示略）にアクセスし、気象予測データ提供サーバから料金設定対象日の気象予測データを取得すればよい。あるいは、気象予測データ取得手段２３は、他の方法で、料金設定対象日の気象予測データを取得してもよい。
【００４３】
電力使用状況推定手段２４は、料金設定対象日の宿泊施設の予約状況に基づいて、料金設定対象日の宿泊施設での電力使用状況を推定する。本実施形態では、電力使用状況推定手段２４は、情報記憶手段２１が料金設定対象日に対応付けて記憶している宿泊予約者の人数に基づいて、料金設定対象日に宿泊施設で使用される電力の推移を推定する。電力使用状況推定手段２４は、予め導出されている時刻毎の推定式（宿泊施設で使用される電力を推定するための推定式）に、料金設定対象日に対応する宿泊予約者の人数を代入することによって、宿泊施設で使用される電力を時刻毎に推定し、料金設定対象日に宿泊施設で使用される電力の推移を推定すればよい。電力使用状況推定手段２４は、予め導出されている時刻毎の推定式を記憶している。なお、前述のように、説明を簡単にするために、推定式で宿泊人数を説明変数とする場合を例にしているが、属性毎の人数（例えば、男女別、あるいは年齢別の人数）や、料金設定対象日の気象状態、季節等も説明変数として用いてもよい。この場合、予約情報に、各各宿泊予約者の性別や年齢の情報が含まれていればよい。また、例えば、電力使用状況推定手段２４は、季節を料金設定対象日から判定すればよい。
【００４４】
発電状況推定手段２５は、料金設定対象日の気象予測データに基づいて、料金設定対象日の太陽光発電設備１（図１参照）による発電状況を推定する。本実施形態では、発電状況推定手段２５は、情報記憶手段２１が料金設定対象日に対応付けて記憶している気象予測データに基づいて、料金設定対象日に太陽光発電設備１が発電する電力の推移を推定する。発電状況推定手段２５は、予め導出されている時刻毎の推定式（太陽光発電設備１が発電する電力を推定するための推定式）に、料金設定対象日の気象予測データが示す気象状態の情報を代入することによって、太陽光発電設備１が発電する電力を時刻毎に推定し、料金設定対象日に太陽光発電設備１が発電する電力の推移を推定すればよい。発電状況推定手段２５は、予め導出されている時刻毎の推定式を記憶している。なお、前述のように、説明を簡単にするために、推定式で気象状態を説明変数とする場合を例にしているが、季節等も説明変数として用いてもよい。この場合、例えば、発電状況推定手段２５は、季節を料金設定対象日から判定すればよい。
【００４５】
利用料金設定手段２６は、料金設定対象日の宿泊施設での電力使用状況と、料金設定対象日の太陽光発電設備１による発電状況とに基づいて、料金設定対象日の宿泊料金（宿泊設備の利用料金）を設定する。このとき、利用料金設定手段２６は、料金設定対象日の宿泊施設での電力使用状況と、料金設定対象日の太陽光発電設備１による発電状況とに基づいて、料金設定対象日に宿泊施設が電力会社から供給される電力量を推定し、その電力量に応じて、予約者の宿泊料金を設定する。
【００４６】
予約情報取得手段２２、気象予測データ取得手段２３、電力使用状況推定手段２４、発電状況推定手段２５および利用料金設定手段２６は、例えば、コンピュータのＣＰＵによって実現される。この場合、ＣＰＵは、コンピュータのプログラム記憶装置（図示略）等のプログラム記録媒体から料金設定プログラムを読み込み、そのプログラムに従って、予約情報取得手段２２、気象予測データ取得手段２３、電力使用状況推定手段２４、発電状況推定手段２５および利用料金設定手段２６として動作すればよい。また、予約情報取得手段２２、気象予測データ取得手段２３、電力使用状況推定手段２４、発電状況推定手段２５および利用料金設定手段２６がそれぞれ別々のコンピュータによって実現されていてもよい。
【００４７】
次に、本発明の処理経過について説明する。図３は、本発明の処理経過の例を示すフローチャートである。なお、本発明の処理経過は、図３に示す例に限定されない。
【００４８】
以下、説明を簡単にするために、蓄電池２（図１参照）に充電された電力は１日の終了時までに全て消費され、料金設定対象日の開始時点で蓄電池２の充電量が０であるものとして、利用料金設定手段２６が、料金設定対象日に宿泊施設が電力会社から供給される電力量を推定する場合を例にして説明する。
【００４９】
予約情報取得手段２２は、予約者の端末（図示略）から、宿泊人数および宿泊日（料金設定対象日）の情報を含む予約情報を受信する（ステップＳ１）。なお、本実施形態では、料金設定システム２０は、一泊当たりの宿泊料金を設定する。宿泊日数が複数日に渡っている場合、料金設定システム２０は、１日毎に、以下の処理を行えばよい。ここでは、宿泊日数が１日である場合を例にして説明する。
【００５０】
予約情報取得手段２２は、予約情報を受信すると、情報記憶手段２１が料金設定対象日に対応付けて記憶している宿泊予約者の人数に、予約情報に含まれている宿泊人数を加算して、料金設定対象日に対応する宿泊予約者の人数を更新する。
【００５１】
次に、気象予測データ取得手段２３は、料金設定対象日の気象予測データを取得し、料金設定対象日に対応付けて、その気象予測データを情報記憶手段２１に記憶させる（ステップＳ２）。料金設定対象日の気象予測データは、料金設定対象日の気象状態として予測された気象状態を示している。気象予測データ取得手段２３は、例えば、気象予測データ提供サーバ（図示略）から料金設定対象日の気象予測データを取得すればよい。
【００５２】
電力使用状況推定手段２４は、料金設定対象日の宿泊施設の予約状況（本例では、宿泊予約者の人数）に基づいて、料金設定対象日の宿泊施設での電力使用状況を推定する（ステップＳ３）。電力使用状況推定手段２４は、情報記憶手段２１から料金設定対象日の宿泊予約者の人数を読み込み、予め導出されている時刻毎の推定式（宿泊施設で使用される電力を推定するための推定式）に、その人数を代入することによって、宿泊施設で使用される電力を時刻毎に推定し、料金設定対象日に宿泊施設で使用される電力の推移を推定する。なお、電力使用状況推定手段２４は、他の情報も用いて、料金設定対象日の宿泊施設での電力使用状況を推定してもよい。例えば、電力使用状況推定手段２４は、料金設定対象日の宿泊施設の予約状況と料金設定対象日の気象予測データが示す気象状態とに基づいて、料金設定対象日の宿泊施設での電力使用状況を推定してもよい。この場合、宿泊人数や気象状態を説明変数とする推定式を予め導出しておけばよい。
【００５３】
発電状況推定手段２５は、料金設定対象日の気象予測データに基づいて、料金設定対象日の太陽光発電設備１（図１参照）による発電状況を推定する（ステップＳ４）。発電状況推定手段２５は、情報記憶手段２１から料金設定対象日の気象予測データを読み込み、予め導出されている時刻毎の推定式（太陽光発電設備１が発電する電力を推定するための推定式）に、その気象予測データが示す気象状態の情報を代入することによって、太陽光発電設備１が発電する電力を時刻毎に推定し、料金設定対象日に太陽光発電設備１が発電する電力の推移を推定する。
【００５４】
なお、既に説明したように、宿泊施設は、再生可能エネルギーに基づく電力の発電設備として、例えば、太陽光発電設備１以外の発電設備（例えば、風力発電設備等）を備えていてもよい。例えば、宿泊施設が風力発電設備を備えている場合、発電状況推定手段２５は、料金設定対象日におけるその風力発電設備による発電状況を推定すればよい。この場合、風力発電設備が発電する電力を推定するための推定式を予め導出しておけばよい。
【００５５】
利用料金設定手段２６は、料金設定対象日の宿泊施設での電力使用状況（料金設定対象日に宿泊施設で使用される電力の推移）と、料金設定対象日の太陽光発電設備１による発電状況（料金設定対象日に太陽光発電設備１が発電する電力の推移）とに基づいて、料金設定対象日に宿泊施設が電力会社から供給される電力量を推定する（ステップＳ５）。
【００５６】
ここで、利用料金設定手段２６は、太陽光発電設備１が発電する電力が、宿泊施設で使用される電力よりも大きい時間帯では、太陽光発電設備１が発電する電力のうち宿泊施設で使用される電力を上回っている分の電力が蓄電池２に貯えられ、太陽光発電設備１が発電する電力が、宿泊施設で使用される電力よりも小さい時間帯では、蓄電池２に貯えられた電力が電力会社から供給される電力よりも先に使用されるものとして、料金設定対象日に宿泊施設が電力会社から供給される電力量を推定する。
【００５７】
図４は、料金設定対象日に宿泊施設で使用される電力の推移、および料金設定対象日に太陽光発電設備１が発電する電力の推移の一例を示す模式図である。横軸（ｘ軸）は時刻を示し、縦軸（ｙ軸）は電力を示している。また、破線は、宿泊施設で使用される電力の推移を示し、実線は、太陽光発電設備１が発電する電力の推移を示している。時刻Ｔ１から時刻Ｔ２までの時間帯は、太陽光発電設備１が発電する電力が、宿泊施設で使用される電力よりも大きい時間帯である。時刻Ｔ１から時刻Ｔ２までの時間帯で、太陽光発電設備１が発電する電力のうち宿泊施設で使用される電力を上回っている分の電力が蓄電池２に貯えられる。すなわち、図４に示す領域Ａの面積に相当する電力量が、蓄電池２に充電される。なお、蓄電池２の容量は、蓄電池２に充電可能な電力量の上限である。ここでは、領域Ａの面積に相当する電力量が全て、蓄電池２に充電されるものとする。また、太陽光発電設備１が発電する電力のうち、宿泊施設で使用される分の電力は直ちに使用されるものとする。領域Ａの面積に相当する電力量は、太陽光発電設備１が発電する電力から、宿泊施設で使用される電力される電力を減算した値を、時刻Ｔ１〜Ｔ２で積分することによって得られる。
【００５８】
また、時刻Ｔ２より後の時間帯は、太陽光発電設備１が発電する電力が、宿泊施設で使用される電力よりも小さい時間帯である。この時間帯では、蓄電池２に貯えられた電力が電力会社から供給される電力よりも先に使用されるものとする。蓄電池２に貯えられた電力が全て使用される時（蓄電池２の充電量が０になる時）の時刻をＴ３とする。図４に示す領域Ｂは、時刻Ｔ２より後で、宿泊施設で使用される電力の推移を示す線と、太陽光発電設備１が発電する電力の推移を示す線または横軸と、ｘ＝Ｔ３とで囲まれる領域である。利用料金設定手段２６は、領域Ａの面積と、領域Ｂの面積とが等しくなるように、時刻Ｔ３を算出すればよい。
【００５９】
時刻Ｔ１よりも前の時間帯、および、時刻Ｔ３より後の時間帯では、宿泊施設は、電力会社から供給される電力を使用することになる。従って、利用料金設定手段２６は、料金設定対象日に宿泊施設で使用される電力の推移、および料金設定対象日に太陽光発電設備１が発電する電力の推移に基づいて、時刻Ｔ１よりも前の時間帯、および、時刻Ｔ３より後の時間帯で、電力会社から供給される電力量を算出する。この電力量が、料金設定対象日に宿泊施設が電力会社から供給される電力量の推定値である。
【００６０】
図５は、料金設定対象日に宿泊施設で使用される電力の推移、および料金設定対象日に太陽光発電設備１が発電する電力の推移の他の例を示す模式図である。横軸（ｘ軸）は時刻を示し、縦軸（ｙ軸）は電力を示している。また、破線は、宿泊施設で使用される電力の推移を示し、実線は、太陽光発電設備１が発電する電力の推移を示している。
【００６１】
図５では、料金設定対象日の気象予測データが示す気象状態が予め定められた条件（太陽光発電設備１が十分に発電できなくなる条件。例えば、雨であるという条件。）を満たす場合を示している。なお、図５は、気象予測データから推定される太陽光発電設備１で発電される電力量が所定の閾値を超えない場合を示しているということもできる。時刻Ｔａは、電力会社の電気料金が日中の電気料金よりも低く設定されている深夜の時間帯の終了時刻を示している。
【００６２】
利用料金設定手段２６は、料金設定対象日の気象予測データが示す気象状態が、予め定められた条件（太陽光発電設備１が十分に発電できなくなる条件）を満たす場合、電力会社の電気料金が日中の電気料金よりも低く設定されている深夜の時間帯に、電力会社から供給される電力が蓄電池２に貯えられ、その時間帯の終了後、太陽光発電設備１が発電する電力が、宿泊施設で使用される電力よりも小さい時間帯で、蓄電池２に貯えられた電力が電力会社から供給される電力よりも先に使用されるものとして、料金設定対象日に宿泊施設が電力会社から供給される電力量を推定する。
【００６３】
図５に示す例では、時刻Ｔａまでに、電力会社から供給される電力によって、蓄電池２の容量分の電力量が蓄電池２に貯えられるものとする。また、時刻Ｔａより後の時間帯では、太陽光発電設備１が発電する電力が、宿泊施設で使用される電力よりも小さい状態が続く。この時間帯では、蓄電池２に貯えられた電力が電力会社から供給される電力よりも先に使用されるものとする。蓄電池２に貯えられた電力が全て使用された時の時刻をＴｂとする。図５に示す領域Ｃは、宿泊施設で使用される電力の推移を示す線と、太陽光発電設備１が発電する電力の推移を示す線または横軸と、ｘ＝Ｔａおよびｘ＝Ｔｂとで囲まれる領域である。利用料金設定手段２６は、領域Ｃの面積が蓄電池２の容量と等しくなるように、時刻Ｔｂを算出すればよい。
【００６４】
時刻Ｔａよりも前の時間帯、および、時刻Ｔｂより後の時間帯では、宿泊施設は、電力会社から供給される電力を使用することになる。従って、利用料金設定手段２６は、料金設定対象日に宿泊施設で使用される電力の推移、および料金設定対象日に太陽光発電設備１が発電する電力の推移に基づいて、時刻Ｔａよりも前の時間帯、および、時刻Ｔｂよりも後の時間帯で、電力会社から供給される電力量を算出する。電力会社から供給される電力量は、負荷等の使用電力量だけでなく、所定の時間帯（電気料金が低く設定されている深夜等の時間帯）に蓄電池に充電される電力量を含んでいてもよい。この算出された電力量が、料金設定対象日に宿泊施設が電力会社から供給される電力量の推定値である。
【００６５】
ステップＳ５の後、利用料金設定手段２６は、ステップＳ５で推定した電力量（料金設定対象日に宿泊施設が電力会社から供給される電力量）に応じて、料金設定対象日の宿泊料金を設定する（ステップＳ６）。ステップＳ５で推定した電力量が大きいほど、宿泊施設が電力会社に支払う料金設定対象日分の電気料金は高くなり、ステップＳ５で推定した電力量が小さいほど、宿泊施設が電力会社に支払う料金設定対象日分の電気料金は低くなる。従って、利用料金設定手段２６は、ステップＳ５で推定した電力量が大きいほど、料金設定対象日の宿泊料金を高く設定し、ステップＳ５で推定した電力量が小さいほど、料金設定対象日の宿泊料金を低く設定すればよい。なお、利用料金設定手段２６は、ステップＳ６で設定した宿泊料金を、予約情報を送信した予約者の端末（図示略）に送信することによって、予約者に宿泊料金を通知してもよい。
【００６６】
本発明によれば、利用料金設定手段２６は、ステップＳ５で、料金設定対象日の宿泊施設での電力使用状況と、料金設定対象日の太陽光発電設備１による発電状況とに基づいて、料金設定対象日に宿泊施設が電力会社から供給される電力量を推定する。さらにステップＳ６で、利用料金設定手段２６は、その電力量に応じて、料金設定対象日の宿泊料金を設定する。従って、本発明によれば、再生エネルギーに基づく電力の発電設備を有している施設の利用料金を、料金設定対象日に施設が電力会社から供給される電力量に応じて定めることができる。
【００６７】
なお、料金設定対象日が共通であっても、後になってから予約するほど、予約者数が増えていることになる。宿泊人数が増えるほど、宿泊施設での電力使用量は増える傾向があり、その結果、ステップＳ５で推定される電力量も大きくなる。従って、料金設定対象日が共通であっても、予約者数が少ない段階で予約した予約者に対して設定される宿泊料金よりも、予約者数が増えた段階で予約した予約者に対して設定される宿泊料金の方が高くなる。
【００６８】
また、上記の説明では、蓄電池２（図１参照）に充電された電力は１日の終了時までに全て消費され、料金設定対象日の開始時点で蓄電池２の充電量が０であるものとして、利用料金設定手段２６が、料金設定対象日に宿泊施設が電力会社から供給される電力量を推定する場合を例にして説明した。料金設定対象日の開始時点で蓄電池２に貯えられている電力量が残っているものとして、利用料金設定手段２６が、料金設定対象日に宿泊施設が電力会社から供給される電力量を推定してもよい。
【００６９】
この場合、利用料金設定手段２６は、料金設定対象日の開始時（０時）の時点で、蓄電池２に貯えられている電力量を推定し、その電力量に応じて、料金設定対象日に宿泊施設が電力会社から供給される電力量を推定する。
【００７０】
料金設定対象日の開始時の時点で、蓄電池２に貯えられている電力量を推定するために、電力使用状況推定手段２４は、料金設定対象日の前日の宿泊施設の予約状況に基づいて、料金設定対象日の前日の宿泊施設での電力使用状況を推定する。この処理は、ステップＳ３の処理と同様である。また、発電状況推定手段２５は、料金設定対象日の前日の気象予測データに基づいて、料金設定対象日の前日の太陽光発電設備１による発電状況を推定する。この処理は、ステップＳ４の処理と同様である。なお、気象予測データ取得手段２３が、料金設定対象日の前日の気象予測データを取得しておけばよい。
【００７１】
利用料金設定手段２６は、料金設定対象日の前日の宿泊施設での電力使用状況と、料金設定対象日の前日の太陽光発電設備１による発電状況とに基づいて、料金設定対象日の開始時の時点で蓄電池２に貯えられている電力量を推定すればよい。以下に示す状況が発生すれば、料金設定対象日の開始時の時点で蓄電池２に電力量が貯えられていることになる。すなわち、料金設定対象日の前日において、太陽光発電設備１が発電する電力が宿泊施設で使用される電力よりも小さい時間帯で、宿泊施設での使用電力が少ない値で推移し、太陽光発電設備１が発電する電力が宿泊施設で使用される電力よりも大きい時間帯で蓄電池２に充電された電力量の一部しか使用されなかった状況が発生したとする。この場合、料金設定対象日の開始時の時点で蓄電池２に電力量が貯えられている。図６は、料金設定対象日の前日に宿泊施設で使用される電力の推移、および料金設定対象日の前日に太陽光発電設備１が発電する電力の推移の一例であって、蓄電池２に充電される電力量の一部しか使用されない状況の例を示す模式図である。図４に示す場合と同様に、横軸（ｘ軸）は時刻を示し、縦軸（ｙ軸）は電力を示している。また、破線は、宿泊施設で使用される電力の推移を示し、実線は、太陽光発電設備１が発電する電力の推移を示している。時刻Ｔ１から時刻Ｔ２までの時間帯は、太陽光発電設備１が発電する電力が、宿泊施設で使用される電力よりも大きい時間帯である。時刻Ｔ１から時刻Ｔ２までの時間帯で、太陽光発電設備１が発電する電力のうち宿泊施設で使用される電力を上回っている分の電力が蓄電池２に貯えられる。すなわち、領域Ａの面積に相当する電力量が、蓄電池２に充電される。また、時刻Ｔ２より後の時間帯は、太陽光発電設備１が発電する電力が、宿泊施設で使用される電力よりも小さい時間帯である。この時間帯では、蓄電池２に貯えられた電力が電力会社から供給される電力よりも先に使用される。
【００７２】
料金設定対象日の開始時の時点で蓄電池２に電力量が貯えられているということは、図６に示す時刻Ｔ２より後において、図６に示す領域Ａの面積に相当する電力量の一部しか使用されなかったということである。ここで、時刻Ｔ２より後で、宿泊施設で使用される電力の推移を示す線と、太陽光発電設備１が発電する電力の推移を示す線または横軸と、ｘ＝２４時とで囲まれる領域Ｄの面積に相当する電力量をＰとする。図６に示す領域Ｄの面積が領域Ａの面積よりも小さければ、料金設定対象日の開始時の時点で蓄電池２に電力量が貯えられていることになる。利用料金設定手段２６は、領域Ａの面積に相当する電力量から電力量Ｐを減算することによって、料金設定対象日の開始時の時点で蓄電池２に貯えられている電力量を推定すればよい。なお、この減算結果が負の値である場合には、利用料金設定手段２６は、料金設定対象日の開始時の時点で蓄電池２に貯えられている電力量が０であると推定すればよい。
【００７３】
料金設定対象日の開始時の時点で蓄電池２に貯えられている電力量をＱとする。また、蓄電池２の容量をＲとする。
【００７４】
料金設定対象日に宿泊施設で使用される電力の推移、および料金設定対象日に太陽光発電設備１が発電する電力の推移が図４に示す例と同様の場合、利用料金設定手段２６は、時刻Ｔ１から時刻Ｔ２までの時間帯で、Ｒ−Ｑの電力量だけ追加で蓄電池２に充電可能であるものとして、料金設定対象日に宿泊施設が電力会社から供給される電力量を推定すればよい。
【００７５】
また、料金設定対象日に宿泊施設で使用される電力の推移、および料金設定対象日に太陽光発電設備１が発電する電力の推移が図５に示す例と同様の場合、利用料金設定手段２６は、深夜の所定の時間帯に電力会社から供給される電力によって蓄電池２に追加で貯えられる電力量がＲ−Ｑであるものとして、料金設定対象日に宿泊施設が電力会社から供給される電力量を推定すればよい。
【００７６】
また、上記の実施形態では、電力使用状況推定手段２４は、予め機械学習によって導出された推定式を用いて、料金設定対象日の宿泊施設での電力使用状況を推定する場合を説明した。電力使用状況推定手段２４は、機械学習によって導出された推定式を用いずに、料金設定対象日の宿泊施設での電力使用状況を推定してもよい。例えば、電力使用状況推定手段２４は、料金設定対象日の宿泊施設の予約状況（本例では、宿泊予約者の人数）と同一または類似の予約状況となっている日を、サーバ４（図１参照）が記憶している過去の履歴に基づいて特定する。そして、電力使用状況推定手段２４は、その過去の履歴から、その日における宿泊施設での電力使用状況を抽出し、その電力使用状況を、料金設定対象日の宿泊施設での電力使用状況とみなしてもよい。
【００７７】
同様に、発電状況推定手段２５は、機械学習によって導出された推定式を用いずに、料金設定対象日の太陽光発電設備１による発電状況を推定してもよい。例えば、発電状況推定手段２５は、料金設定対象日の気象予測データが示す気象状態と同一または類似の気象状態となっている日を、サーバ４が記憶している過去の履歴に基づいて特定する。そして、発電状況推定手段２５は、その過去の履歴から、その日における太陽光発電設備１による発電状況を抽出し、その発電状況を、料金設定対象日の太陽光発電設備１による発電状況とみなしてもよい。
【００７８】
また、既に説明したように、宿泊施設は、再生可能エネルギーに基づく電力の発電設備として、太陽光発電設備１以外の設備（例えば、風力発電設備）を備えていてもよい。同様に、宿泊施設は、蓄電池２以外のエネルギー貯蔵手段を備えていてもよい。そのような場合でも、本発明を適用可能である。
【００７９】
また、施設は、宿泊施設でなくてもよい。再生可能エネルギーに基づく電力の発電設備を備え、利用者が予約することができる施設であれば、本発明を適用可能である。例えば、予約制のテーマパークの利用料の設定に、本発明を適用してもよい。
【００８０】
次に、本発明の概要を説明する。図７は、本発明の料金設定システムの概要を示すブロック図である。本発明の料金設定システムは、再生可能エネルギーに基づく電力の発電設備（例えば、太陽光発電設備１）を有する施設（例えば、宿泊施設）の利用料金（例えば、宿泊料金）を設定する。本発明の料金設定システムは、電力使用状況推定手段７１と、発電状況推定手段７２と、料金設定手段７３とを備える。
【００８１】
電力使用状況推定手段７１（例えば、電力使用状況推定手段２４）は、将来の所定の日（例えば、料金設定対象日）の施設の予約状況に基づいて、所定の日の施設での電力使用状況を推定する。
【００８２】
発電状況推定手段７２（例えば、発電状況推定手段２５）は、所定の日の気象状態を示す気象予測データに基づいて、所定の日の発電設備による発電状況を推定する。
【００８３】
料金設定手段７３（例えば、利用料金設定手段２６）は、所定の日の施設での電力使用状況と、所定の日の発電設備による発電状況とに基づいて、所定の日の施設の利用料金を設定する。
【００８４】
そのような構成により、再生エネルギーに基づく電力の発電設備を有している施設の利用料金を、将来、施設が電力会社から供給される電力量に応じて定めることができる。
【００８５】
上記の本発明の実施形態は、以下の付記のようにも記載され得るが、以下に限定されるわけではない。
【００８６】
（付記１）
再生可能エネルギーに基づく電力の発電設備を有する施設の利用料金を設定する料金設定システムであって、
将来の所定の日の前記施設の予約状況に基づいて、前記所定の日の前記施設での電力使用状況を推定する電力使用状況推定手段と、
前記所定の日の気象状態を示す気象予測データに基づいて、前記所定の日の前記発電設備による発電状況を推定する発電状況推定手段と、
前記所定の日の前記施設での電力使用状況と、前記所定の日の前記発電設備による発電状況とに基づいて、前記所定の日の前記施設の利用料金を設定する料金設定手段とを備える
ことを特徴とする料金設定システム。
【００８７】
（付記２）
料金設定手段は、
所定の日の施設での電力使用状況と、前記所定の日の発電設備による発電状況とに基づいて、前記所定の日に前記施設が電力会社から供給される電力量を推定し、前記電力量に応じて、前記所定の日の前記施設の利用料金を設定する
付記１に記載の料金設定システム。
【００８８】
（付記３）
料金設定手段は、
発電設備が発電する電力が、施設で使用される電力よりも大きい時間帯では、前記発電設備が発電する電力のうち前記施設で使用される電力を上回っている分の電力が、前記施設が有するエネルギー貯蔵手段に貯えられ、前記発電設備が発電する電力が、前記施設で使用される電力よりも小さい時間帯では、前記エネルギー貯蔵手段に貯えられた電力が電力会社から供給される電力よりも先に使用されるものとして、所定の日に前記施設が電力会社から供給される電力量を推定する
付記１または付記２に記載の料金設定システム。
【００８９】
（付記４）
料金設定手段は、
気象予測データが示す所定の日の気象状態が予め定められた条件を満たす場合、所定の時間帯に電力会社から供給される電力が、施設が有するエネルギー貯蔵手段に貯えられ、前記所定の時間帯の終了後、発電設備が発電する電力が、施設で使用される電力よりも小さい時間帯で、前記エネルギー貯蔵手段に貯えられた電力が電力会社から供給される電力よりも先に使用されるものとして、前記所定の日に前記施設が電力会社から供給される電力量を推定する
付記１から付記３のうちのいずれかに記載の料金設定システム。
【００９０】
（付記５）
料金設定手段は、
所定の日の開始時にエネルギー貯蔵手段に貯えられている電力量を推定し、当該電力量に応じて、前記所定の日に前記施設が電力会社から供給される電力量を推定する
付記３または付記４に記載の料金設定システム。
【００９１】
（付記６）
電力使用状況推定手段は、所定の日の施設の予約状況と気象状態とに基づいて、前記所定の日の前記施設での電力使用状況を推定する
付記１から付記５のうちのいずれかに記載の料金設定システム。
【００９２】
（付記７）
再生可能エネルギーに基づく電力の発電設備を有する施設の利用料金を設定する料金設定方法であって、
将来の所定の日の前記施設の予約状況に基づいて、前記所定の日の前記施設での電力使用状況を推定し、
前記所定の日の気象状態を示す気象予測データに基づいて、前記所定の日の前記発電設備による発電状況を推定し、
前記所定の日の前記施設での電力使用状況と、前記所定の日の前記発電設備による発電状況とに基づいて、前記所定の日の前記施設の利用料金を設定する
ことを特徴とする料金設定方法。
【００９３】
（付記８）
再生可能エネルギーに基づく電力の発電設備を有する施設の利用料金をコンピュータに設定させるための料金設定プログラムであって、
前記コンピュータに、
将来の所定の日の前記施設の予約状況に基づいて、前記所定の日の前記施設での電力使用状況を推定する電力使用状況推定処理、
前記所定の日の気象状態を示す気象予測データに基づいて、前記所定の日の前記発電設備による発電状況を推定する発電状況推定処理、および、
前記所定の日の前記施設での電力使用状況と、前記所定の日の前記発電設備による発電状況とに基づいて、前記所定の日の前記施設の利用料金を設定する料金設定処理
を実行させるための料金設定プログラム。
【産業上の利用可能性】
【００９４】
本発明は、再生可能エネルギーに基づく電力の発電設備を有する施設の利用料金を設定する料金設定システムに好適に適用される。
【符号の説明】
【００９５】
１  太陽光発電設備
２  蓄電池
３ａ，３ｂ  負荷
４  サーバ
１１，１２，１３ａ，１３ｂ，１５  メータ
２０  料金設定システム
２１  情報記憶手段
２２  予約情報取得手段
２３  気象予測データ取得手段
２４  電力使用状況推定手段
２５  発電状況推定手段
２６  利用料金設定手段
【図１】
2017131028.tif 000003
【図２】
2017131028.tif 000004
【図３】
2017131028.tif 000005
【図４】
2017131028.tif 000006
【図５】
2017131028.tif 000007
【図６】
2017131028.tif 000008
【図７】
2017131028.tif 000009